(57)【特許請求の範囲】
【請求項１】
危険の可能性がある物体の納置検査およびその物体の移送を可能にするための装置であって、
開いて前記物体を受け入れ可能とし、閉じて前記物体を手動検査するための密封された気密状態の環境を設けることを可能とする少なくとも第１部分と第２部分とを含む検査ユニットであって、第１部分と第２部分とは実質的には剛体であって、前記閉じられた検査ユニットの前記密封環境に対して外部のユーザが前記物体を前記閉じられた検査ユニット内で操作することを可能にする少なくとも１つの手袋部材を含む検査ユニットと、
開いて前記検査ユニット全体を受け入れ可能とし、閉じて前記検査ユニットを収納する密封された気密状態の環境をさらに設けることを可能とする少なくとも第１部分と第２部分とを含む移送ユニットであって、該移送ユニットの前記第１部分と第２部分が実質的に剛体である移送ユニットと、
を備えた装置。
【請求項２】
前記検査ユニットの少なくとも一部が実質的に透明である請求項１に記載の装置。
【請求項３】
前記検査ユニットのボディ部または基部の少なくとも一部が半透明、好ましくは暗色である請求項１または請求項２のいずれかに記載の装置。
【請求項４】
前記物体が封筒、郵便物、パッケージ、小包、書状等である請求項１から３のいずれか一項に記載の装置。
【請求項５】
前記検査ユニットの前記第１部分と前記第２部分とは、互いに挟扼または錠止するように適合している請求項１から４のいずれか一項に記載の装置。
【請求項６】
前記検査ユニットの前記第１部分および前記第２部分が互いに蝶着される請求項５に記載の装置。
【請求項７】
前記検査ユニットの前記第１部分が蓋部であり、前記検査ユニットの前記第２部分がボディ部または基部である請求項５または請求項６のいずれかに記載の装置。
【請求項８】
前記移送ユニットは、一般的に一人の人間によって持ち上げ及び移動が可能である請求項１から７のいずれか一項に記載の装置。
【請求項９】
前記ユーザが前記検査ユニット内の前記物体を視認検査することが可能である請求項１から８のいずれか一項に記載の装置。
【請求項１０】
２つの手袋部材が設けられる請求項１から９のいずれか一項に記載の装置。
【請求項１１】
前記移送ユニットの前記第１の部分と前記第２の部分とが、互いに挟扼するように適合している請求項１から１０のいずれか一項に記載の装置。
【請求項１２】
前記移送ユニットは、２つの独立した気密シールで二重壁を設けている請求項１１に記載の装置。
【請求項１３】
前記移送ユニットの前記第１部分が蓋部であり、前記移送ユニットの前記第２部分がボディ部または基部である請求項１１または請求項１２のいずれかに記載の装置。
【請求項１４】
前記移送ユニットは、外力および衝撃に対して弾性的である請求項１から１３のいずれか一項に記載の装置。
【請求項１５】
前記検査ユニットは、第１部分に一体の拡大覗手段をも含む請求項１から１４のいずれか一項に記載の装置。
【請求項１６】
前記移送ユニットは、前記検査ユニットのための受け材を形成するように適用される当て物または緩衝材を含む請求項１から１５のいずれか一項に記載の装置。
【請求項１７】
前記移送ユニットを閉じることによって同内に置かれた前記検査ユニットが安全に保持される請求項１から１６のいずれか一項に記載の装置。
【請求項１８】
受け取られた郵便物を納置検査し、且つ、さらに検査を要する場合に安全に移送するための装置において、
密封された気密状態の環境を設けるのに適合した実質的に剛体の検査ユニットであって、ユーザが前記検査ユニット内に置かれた受け取り郵便物を視認検査することが可能になり、また、ユーザが前記郵便物を前記検査ユニット内で操作することが可能になる１つまたは複数の手袋部材を含む検査ユニットと、
ユーザによる前記郵便物の検査後、前記検査ユニット全体を受け入れ且つ固定し、移送中前記検査ユニットにさらに密封された気密状態の環境および物理的保護を与える実質的に剛体の移送ユニットと、を備える装置。
【請求項１９】
前記検査ユニットおよび前記移送ユニットがそれぞれ実質的に２つの異なった部分により形成され、且つさらに両ユニットを密封する１つまたは複数のクランプが設けられる請求項１８に記載の装置。
【請求項２０】
前記検査ユニットは、プローブを受けるための密封可能なポートをさらに備える請求項１に記載の装置。
【請求項２１】
前記検査ユニットは、前記密封可能なポートよりも実質的に大きい径を有した密閉可能な検査ポートをさらに備える請求項２０に記載の装置。
【発明の詳細な説明】
【技術分野】
【０００１】
本発明は、危険の可能性があると考えられる物体の納置検査(contained inspection)および移送用装置に関し、且つ特に、危険の可能性がある物質を含むと考えられる封筒、郵便物、パッケージ、小包、書状等の納置検査および次いで可能な移送用装置に関する。
【背景技術】
【０００２】
アメリカにおける２００１年９月１１日のテロリスト活動およびそれに次ぐ炭疽菌に汚染された封筒がアメリカの郵便システムへ投函された後には、他の多くの国でも、不審な白い粉末入りの封筒が大量に郵便システムを介して受け取られるという事態が生じている。
【０００３】
その白い粉末が危険な物質かどうかを判定するのに先立って、安全上の理由から、対応措置を講じることが要求される。対応措置は、関係する緊急対応当局による全面的有害物質取扱措置を必要とする。影響を受けた区域では、影響を受けた全ての人を含めて、未知の物質の分析結果が通報可能になるときまで、行動の抑制を概ね要求される。そのような偶発事の結果、影響を受けた人々のストレスおよびトラウマ、生産性の相当の損失を招来し、応急サービス人材が対応に忙殺される。
【０００４】
敵対者にとっては、封筒、もしくは他に同様のパッケージに或る物質、その多くは無害の白い粉末を入れるのは比較的簡単であることを考えると、影響を受けた人々、生産性および応急サービスに対する衝撃を抑える装置を利用して対応措置を講じる必要がある。
【０００５】
研究室用のグローブボックスタイプの製品が知られており、ユーザがその前腕および手を手袋に通し、グローブボックス内の物体を安全に取り扱うことが可能とされる。そのような研究室用のグローブボックスは、嵩張り且つ移送可能に設計されていない。さらに、一般的に比較的高価ともされる。他のタイプのグローブボックスは、プラスチックシート材により製作され、フレームとグローブを膨らませるための不活性ガスを必要とし、危険の可能性がある物体を安全に取り扱うための手順が一層複雑化する。加えて、現在知られているグローブボックスは堅牢性および可搬性がなく、これが重大な欠点とされる。
【発明の開示】
【発明が解決しようとする課題】
【０００６】
従来技術についての問題を克服あるいは少なくとも改善する、危険の可能性がある物体の納置検査および可能な移送を行うための装置が明らかに必要とされている。
【課題を解決するための手段】
【０００７】
本発明は、危険な可能性のある生物製剤もしくは化学薬品を収納するか、これに汚染された可能性のある不審郵便物等、不審な物体用の検査、隔離および移送するための機器／装置を提供する。この機器／装置は、比較的に軽量、堅牢、使い易く、且つ即座に移送可能とすることが好ましい。この機器／装置は、例えばメールルーム環境、家庭、事業所、法執行機関、政府省庁、軍隊、船舶その他に用途があり、これに限らない。
【０００８】
広い形態では、本発明は、危険の可能性がある物体の納置検査および移送を可能にするための装置において、
開いて前記物体を受け入れ、次いで閉じて前記物体を手動検査するための密封環境を設けることを可能とする検査ユニットであって、前記閉じられた検査ユニットの前記密封環境に対して外部のユーザが前記物体を前記閉じられた検査ユニット内で操作することも可能にする少なくとも１つの手袋部材を含む検査ユニットと、
前記検査ユニット全体を受け入れ且つ前記検査ユニットを収納するさらに密封された環境を設ける移送ユニットと、を含み、
それによって、前記検査ユニットと前記移送ユニットの複合体が前記物体を可能な移送のために安全に納置する装置を提供する。
【０００９】
検査ユニットの少なくとも一部は、実質的に透明とすることが好ましい。また、検査ユニットのボディ部または基部の少なくとも一部は半透明、好ましくは暗色とすることが好ましい。或る特定用途においては、物体は封筒、郵便物、パッケージ、小包、書状等とされる。
【００１０】
本発明の実施形態の１つの態様によれば、検査ユニットには、互いに挟扼(clamped)または錠止(latched)するように適合した第１部分と第２部分とを含む。本発明の実施形態の別の態様によれば、第１部分および第２部分は、互いに蝶着される。本発明の実施形態のさらに別の態様によれば、第１部分は蓋部とされ、第２部分はボディ部または基部とされる。
【００１１】
検査ユニットおよび前記移送ユニットの密封環境は、実質的に気密とすることが好ましい。また、ユーザが検査ユニット内の物体を視認検査可能とすることが好ましい。
【００１２】
本発明の具体的実施形態においては、２つの手袋部材が設けられる。本発明のさらに具体的な実施形態においては、移送ユニットには、互いに挟扼するように適合した第１部分と第２部分とを含む。本発明のさらに別の具体的実施形態においては、移送ユニットの第１部分および第２部分が互いに蝶着される。本発明のまたさらに別の具体的実施形態においては、第１部分は蓋部とされ、第２部分はボディ部または基部とされる。或る代替実施形態においては、移送ユニットには、互いにプレスシールするように適合した蓋部およびボディ部または基部を含む。
【００１３】
移送ユニットは、外力および衝撃に対して弾性的であることが好ましい。本発明のさらに具体的な実施形態においては、検査ユニットには、一体の拡大覗手段をも含む。本発明のさらに別の具体的実施形態においては、移送ユニットには、当て物または緩衝材を含む。本発明のまたさらに別の具体的実施形態においては、移送ユニットを閉じることによって同内に置かれた検査ユニットが安全に保持される。
【００１４】
本発明のさらに広い形態においては、
受け取られた郵便物を納置検査し、且つさらに検査を要する場合に安全に移送するための装置において、
密封環境を設けるのに適合した検査ユニットであって、ユーザが前記検査ユニット内に置かれた受け取り郵便物を視認検査することが可能になり、また、ユーザが前記郵便物を前記検査ユニット内で操作することが可能になる１つまたは複数の手袋部材を含む検査ユニットと、
ユーザによる前記郵便物の検査後、前記検査ユニット全体を受け入れ且つ移送中前記検査ユニットにさらに密封された環境および物理的保護を与える移送ユニットと、を備える装置が提供される。本発明のこの形態の或る特定態様によれば、検査ユニットおよび移送ユニットがそれぞれ実質的に２つの異なった部分により形成され、且つさらに両ユニットを密封する１つまたは複数のクランプが設けられる。
【００１５】
本発明は、その好ましい実施形態を添付図面に関して述べる以下の説明から明らかとなろう。但し、説明は例として示すにすぎず、実施形態は本発明を制限するものではない。
【発明を実施するための最良の形態】
【００１６】
以下の実施形態は、本発明の目的物をより正確に理解し得るよう記載するものであって、本発明の範囲を制限するものではないと考えられたい。図では、本発明の特徴を図解するため、全図を通して同様部品には同じ符号を付してある。
【００１７】
好ましい実施形態において、ユーザが不審な郵便物等を気密もしくは密封環境において検査し、郵便物およびその内容を気密環境内で視認検査可能とする装置が提供される。郵便物および／またはその内容についてさらに分析を要する場合には、郵便物を気密環境で維持し、且つ第２の気密もしくは密封環境に移送することが可能とされ、例えば生化学もしくは法医学研究室等、専門家分析所への移送中に重要とされる付加的保護が得られる。
【００１８】
図１から７に関し、危険の可能性がある物体（図示せず）が受け取られ、危険の可能性があると認知されたときに、物体は検査ユニット１０内に置かれる。物体を検査ユニット１０内に置くには、蓋部１１を取り除くか開くかし、物体を検査ユニット１０の基部（あるいはボディ部）１２に入れるか載せるかする。蓋部１１は、次いで基部１２に封止され、物体を収納する密封環境が与えられる。蓋部１１もしくは基部１２の高さは、可変となるものでもよい。例えば、蓋部１１および基部１２の形状は、基部１２を相当の高さを有するボディ部とみなし得るように、実質的に入れ替え可能とされる。あるいは、蓋部１１および基部１２を同様の高さとすることもできる。
【００１９】
検査ユニット１０内の物体の検査の後、ユーザが物体またはその内容をさらに分析する必要ありと考える場合には、検査ユニット１０全体が移送ユニット（図８に示す）内に置かれる。検査ユニット１０は移送ユニットのボディ部内に置かれた後に、移送ユニットの蓋部がボディ部に封止され、それによって検査ユニット１０を完全に収納する付加的密封環境が与えられる。
【００２０】
危険の可能性がある物体は、したがって２つ別々の密封環境内に収納され、次いで比較的安全に分析所に移送される。検査ユニットおよび移送ユニットとも、危険の可能性がある物体の分析所への移送が容易な可搬式とされるように、適切な寸法および材料により作られることがとすることが好ましい。
【００２１】
さらに、検査ユニット１０の様々な図と特徴を示す図１から７に関し、蓋部１１は、ユーザが危険の可能性がある物体を視認検査可能とする実質的に透明な囲繞アセンブリとすることが好ましい。蓋部１１の部品を半透明とするか、あるいは蓋部１１のほぼ全体を透明プラスチック等、透明の材料から製作することが可能とされる。基部１２の各部位も透明とし得るが、基部１２は実質的に半透明、好ましくは黒もしくはダークブルー等の暗色とすることが好ましい。それによって、ユーザが白い粉体を暗い背景で視認するのに役立つ。蓋部１１の各部位も所望の場合には同様に暗色とすることができる。検査ユニット１０は、実質的に成形プラスチック製とすることが好ましい。
【００２２】
蓋部１１および基部１２は、クランプもしくはラッチ手段を使用して挟扼もしくは閉鎖されるようになされている。好ましい実施形態において、２つのクランク型ヒンジ１３ａおよび１３ｂが基部１２および蓋部１１に取り付けられ、両部を継合しながら相互に回転可能とする。ドローラッチ(draw latch)１４ａおよび１４ｂが同じく蓋部１１に設けられ、基部１２の一部として設置もしくは基部に取付けの留め金もしくは突起１５ａおよび１５ｂとそれぞれ連係する。蓋部１１が回されて基部１２に閉止時に、ラッチ１４ａおよび１４ｂを留め金１５ａおよび１５ｂに閉止して検査ユニット１０を封止可能とされる。様々な数あるいは各種各様のラッチもしくはクランプ手段が所望により使用可能とされることに留意されたい。例えば、ラッチもしくはクランプは、検査ユニットの諸処に設けることができ、ヒンジ１３ａおよび１３ｂに代えてクランプもしくはラッチを追加することもできよう。クランプもしくはラッチ手段は、蓋部１１を基部１２に固定もしくは取り付けて検査ユニット１０内部の密封環境造設に役立つあらゆるタイプの装置、あるいは複合装置であってもよい。
【００２３】
トレイ１６も基部１２に設けるか、基部と一体とすることが好ましい。トレイ１６は、固定としても可動としてもよい。シールもしくはベースガスケット１７を基部１２に結合して設け、さらにシールもしくは蓋ガスケット（図示せず）を蓋部１１に結合して設けることが好ましい。これらのシールもしくはガスケットは、蓋部１１と基部１２の間の接合部分もしくはその近傍に設けられ、検査ユニット１０の閉鎖時に相互に当接して、検査ユニット１０内を気密環境とするのに役立つ。これに代え、蓋部１１か基部１２いずれかに結合して設けるシールもしくはガスケットを１つのみとすることもできよう。
【００２４】
検査ユニット１０を閉鎖時に、ユーザは次いで両前腕／手をハンドアクセスオリフィス(hand access orifices)１８ａおよび１８ｂに通すことによって、ハンドアクセスオリフィス１８ａおよび１８ｂと検査ユニット１０内部に取付けの手袋部材（図示せず）がユーザの両手に嵌る。ユーザは、次いでその両手を使って検査ユニット１０内の密封環境内の物体を密封環境を損なうことなく操作することが可能とされる。
【００２５】
蓋部１１には、上面に拡大覗部をも設けることによって、ユーザが検査ユニット１０内の物体を視認検査時に、検査ユニット１０の内容がユーザに拡大されて見える。
【００２６】
検査ユニット１０には、封止可能としながら検査ユニット１０内の物体を操作する付加的アクセスポイントとして使用可能な検査ポートアセンブリ２１も設けることが可能とされる。手袋部材（図示せず）をアクセス部位１８ａおよび１８ｂ、且つ場合によっては２１に取り付けることが好ましいが、他にユーザが検査ユニット１０内の物体を密封環境を損なうことなく検査および／または操作可能とするあらゆるタイプの装置も利用できることに留意されたい。さらに、プラグアセンブリもしくはプラグポート２２を図示のように設けることが可能とされる。プラグアセンブリ２２は、様々な目的に利用できよう。或る特定の実施態様においては、ポート２２は約４０ｍｍ径とされ、これを通して消防および検査当局が化学もしくは放射線プローブにより主シールの開封を要せずにユニット１０の内容の見本抽出を可能とする小ポートとなる。本ユニットは、化学製品用のＡＰ２Ｃ、ＰＩＤ（光イオン化検出器：Photo Ionisation Detectors）、Ｂｒｕｋｅｒ  ｒａｉｄ等、放射線物質用のＥｘｐｌｏｒａｎｉｕｍ  ＧＲ１３５およびＲｏｔｅｍ  Ｒ２００等機器との適合性に対する試験は完了している。本ユニットは、管理区域に持込み可能とされ、同区域で後部ポートを開いて試験を行うことができる。プラグ２２が次いで交換され、且つ所要の場合には、ユニット１０外部が洗浄されて、漏洩の虞ある汚染物質が除去される。除染フォームもしくは溶液の使用も可能とされる。大ポート２１は、１００ｍｍ径を超えることが好ましく、ユニット１０がバイオセイフティ(Biosafety)キャビネット内にあるときは、主シールの開封に代えてポート２１を介してアクセスが得られる。ポート２１は、手袋を嵌めた手もしくは小型機器をユニット１０内に通すのに十分の大きさであり、オペレータに対する被爆リスクも減少する。ポート２２の他の使用法としては、例えば、気圧を均等として検査ユニット１０の開口を容易にするために、配管等に取り付けし、空気を検査ユニット１０から除去して、例えば真空を生成する、適切なガスを検査ユニット１０内に導入する等、あるいは汎用の付加的アクセスポイントとして使用する等が可能とされる。検査ポートアセンブリ２１およびプラグもしくはポートアセンブリ２２とも、必ずしも設ける必要はなく、代替箇所もしくは構成にて設けることも可能とされることに留意されたい。また、蓋部１１をほぼ平板状とし、検査ユニット１０の高さの大半が基部１２にある場合には、アクセスオリフィス１８ａおよび１８ｂは明らかに基部１２の一部として設けられることを理解されたい。
【００２７】
図８に関し、この図は、移送ユニット８０の好ましい実施形態の分解斜視図である。移送ユニット８０には、蓋部８１と基部またはボディ部８２とを含み、これが継合して蓋部８１がボディ部８２に係合時に気密環境が与えられる。検査ユニット１０について述べた通り、蓋部８１およびボディまたは基部８２の深さまたは高さは可変とされ、例えばボディ部８２をほぼ平板状とし蓋部８１に相当の高さの壁を設けることができよう。また、検査ユニット１０に関する場合と同様に、移送ユニット８０には、蓋部８１およびボディ部８２に固定して蓋部８１をボディ部８２に対して回転および開閉可能とするヒンジ８３ａおよび８３ｂを設けることが好ましい。ラッチ８４ａおよび８４ｂがボディ部８２に取り付けられ、蓋部８１に取付けもしくは一体のフックもしくは突起８５ａおよび８５ｂ（図１２参照）に係着される。また、前述の通り、クランプ、ラッチ、ヒンジその他のタイプ、構成、もしくは組合せは所望により代替もしくは変更可能とされる。
【００２８】
図８には、蓋部８１に固定されたハンドル８６も示す。別のハンドル８７を設けて突出部８８ａおよび／または８８ｂに取り付け、ユーザの移送ユニット８０の持上げもしくは運搬に役立てることができる。さらに、移送ユニット８０には車輪８９ａおよび８９ｂを設け、ロッドもしくは車軸９０によりボディ部８２に固定して、移送ユニット８０の移送に役立てることが可能とされる。シールもしくはガスケット９１および９２を蓋部８１およびボディ部８２にそれぞれ結合して設け、蓋部８１をボディ部８２に係合時の気密環境造設に役立てることも可能とされる。移送ユニット８０には各種標示９３を設け、その内容が化学的もしくは生物学的に有害となる可能性があることを示すことができる。
【００２９】
蓋部８１をボディ部８２に対して封止する各種機構が考えられることを理解されたい。例えば、ヒンジおよびラッチ手段は設けずに、蓋部８１がボディ部８２に対してプレスシール(press-seal)するように適合させることが可能とされる。蓋部８１をボディ部８２に取付け、係合、固定、錠止する等、密封環境を得ることを可能とするようなあらゆる機械的構造でも本発明において利用することができる。
【００３０】
移送ユニット８０は、外力および／または衝撃に耐え得るように弾性プラスチック製とすることが好ましい。さらに、移送ユニット８０には、内側当て物および／または緩衝材を設けることができる。これは、危険の可能性がある物体を分析所に移送中に検査ユニット１０を損傷から隔離するのに役立つ。さらに、移送ユニット８０には、危険の可能性がある物体への無断アクセスを防止する施錠手段を設けられよう。ある特定形態では、移送ユニット８０には、２つの独立した気密シールを備え、二重壁を設け且つ隔離される。したがって、検査ユニット１０と併せて、本装置により３つの独立気密シールを備える三重壁格納システムが与えられる。
【００３１】
以下のさらに別の例により、本発明の実施形態のより詳細な輪郭が得られる。この例は例として示すにすぎず、本発明の範囲を制限するものではない。
【００３２】
不審物体を納置検査および移送するための本装置により、ある種粉末物質等、有害物質を含むと疑われる郵便物を検査および移送するための軽量、気密且つ耐久性のあるユニットが得られる。本装置は、組込みの手袋にユーザが手を通すための側面入口を設けた桶状の蓋から成る成形プラスチック製とすることが好ましい。装置の基部は、うすい色の粉末物質に対して最善のコントラストが得られる暗色（黒もしくはダークブルー）とすることが好ましい。成形された基部は気密シールを備え、さらに落下その他の衝撃に耐え得る錠止クランプにより蓋に固定される。蓋部は透明とされ、且つ不審な郵便物の拡大覗検査を可能とする組込みの拡大覗部が任意に設けられる。
【００３３】
装置内には用具を残置し、ユーザが郵便物の検査時にこれを使用することができる。例えば、端を丸めた平坦な刃のペーパーナイフを置くことができよう。装置の総重量は、密封環境の保全性を損なうリスク無しに容易に取扱い可能な重量とすることが好ましい。本装置の移送ユニットは検査ユニットを受け入れるため、落下もしくは事故発生の際には二重壁の安全性が与えられる。不審郵便物を受け取った際の保安指示書および好ましい取扱手順を用意して装置を補完することが可能とされる。
【００３４】
検査ユニットは、例えばＡ４サイズの大型封筒および小包を含む郵便物を全体納置環境において安全に検査可能とするように設計される。郵便物が不審と認知され、ある種粉末物質等の有害物質を含むと考えられると、その郵便物は検査ユニットに入れられ、蓋部が閉じられて錠止される。不審郵便物は、次いで検査ユニット内で開封もしくはさらに検査され、ユーザが蓋部を通してはっきり見ることができる。郵便物が汚染物質を含む場合には、検査ユニット全体が次いで移送ユニット内に置かれ、適切な人員によって適切な検査ラボラトリもしくは分析所に移送される。このプロセスによって不審郵便物を取り扱う人員数も削減され、法医学的証拠(forensic evidence)となり得る物証が保全される。
【００３５】
本装置の構成品は、成形プラスチックによる一体品とすることが好ましく、手袋部材は、ビニル手袋もしくは他の適切な材料製とすることができよう。移送ユニットは、生物学的有害物質を収納することを明確に標示することが好ましい。本装置で使用のシールは、軟質ゴムシールとすることができよう。当て物もしくは抑止具を移送ユニット内部に設けて、検査ユニットの物理的保護および／または安定性付与に役立てることが可能とされる。
【００３６】
内部検査／納置ユニットは、Ａ４サイズ封筒等、各種サイズの不審郵便物を取り扱うように設計可能とされる。他の寸法のユニットも用意可能とされる。ある特定の好ましい形態においては、手袋は、きわめて耐薬品性および耐摩耗性に優れ、ユーザをラテックス反応(latex reaction)のリスクに晒すことのないニトリル手袋とされる。この好ましい実施形態においては、検査ユニットは重量約３キログラムとし、概ね堅牢とされる。
【００３７】
外側の移送ユニットは、高い基準に合わせて製作され、移送中に内側の検査ユニットを収容し、且つ内側検査ユニットとその内容を最大限保護するように設計される。移送ユニットは視感度の高い黄色とし、且つ生物学的もしくは化学的に有害である可能性がある物体を収納していることを明確に標示していよう。この実施形態において、移送ユニットは３メートルまでの高さからの落下に耐えて内容物を損傷することなく、且つ２つのユニットを合わせた重量は約１３キログラムとされる。
【００３８】
斯くして、本発明により、危険の可能性がある物体を納置検査し、且つ所望の場合には、移送するための装置が提供された。
【００３９】
本発明は、広くは本明細書で個々もしくは集合的に言及もしくは指示した部品、要素および特徴、複数の部品、要素もしくは特徴のいずれかもしくは全ての複合にも本来存在するものとされてよく、本発明の係わる技術分野において知られている均等物を有する具体的完成体について本書で述べている場合には、その知られている均等物は個別に規定されたものとして本書に組み込まれたものと見なされる。
【００４０】
以上、好ましい実施形態について詳細に説明したが、いうまでもなく、当業者には各種各様の変更、置換、および代替が可能であろうが、それらはいずれも本発明の範囲内に属するものとされる。
【図面の簡単な説明】
【００４１】
【図１】本発明の実施形態による検査ユニットを示す正面斜視図である。
【図２】本発明の実施形態による検査ユニットを示す背面斜視図である。
【図３】図１に示す検査ユニットの閉鎖時の平面図である。
【図４】図１に示す検査ユニットの閉鎖時の側面図である。
【図５】図１に示す検査ユニットの閉鎖時の正面斜視図である。
【図６】図１に示す検査ユニットの閉鎖時の背面斜視図である。
【図７】図１に示す検査ユニットの閉鎖時の正面図である。
【図８】本発明の実施形態による移送ユニットを示す分解斜視図である。
【図９】本発明の実施形態による移送ユニットの閉鎖時の斜視図である。
【図１０】図９に示す移送ユニットの平面図である。
【図１１】図９および１０に示す移送ユニットのＢ−Ｂ線断面図である。
【図１２】図９に示す移送ユニットの側面図である。
【図１３】図９および１２に示す移送ユニットのＡ−Ａ線断面図である。
【図１４】図９に示す移送ユニットのさらに別の側面図である。
【図１】
0004638239.tif 000002
【図２】
0004638239.tif 000003
【図３】
0004638239.tif 000004
【図４】
0004638239.tif 000005
【図５】
0004638239.tif 000006
【図６】
0004638239.tif 000007
【図７】
0004638239.tif 000008
【図８】
0004638239.tif 000009
【図９】
0004638239.tif 000010
【図１０】
0004638239.tif 000011
【図１１】
0004638239.tif 000012
【図１２】
0004638239.tif 000013
【図１３】
0004638239.tif 000014
【図１４】
0004638239.tif 000015